【手続補正書】
【提出日】平成19年3月19日(2007.3.19)
【手続補正１】
【補正対象書類名】明細書
【補正対象項目名】特許請求の範囲
【補正方法】変更
【補正の内容】
【特許請求の範囲】
【請求項１】  
ＣＤＭＡ基地局により順方向リンクチャンネル信号を生成する方法であって、
少なくとも第1のパイロットＰＮオフセット表示を含むことができる同期化チャンネルメッセージを搬送する同期化チャンネル信号を生成し、
少なくとも第２のパイロットＰＮシーケンスオフセット表示を搬送する識別チャンネル信号を生成し、識別チャンネルは、同期チャンネルが許容するよりも、受信機によってパイロットＰＮオフセットのより速い復号を許容し、
前記順方向リンクチャンネル信号を送信するため、前記同期化チャンネル信号及び前記識別チャンネル信号を直交化することを含む方法。
【請求項２】
前記識別チャンネル信号はパイロットＰＮシーケンスの位相の表示を更に含む請求項１の方法。
【請求項３】
前記識別チャンネル信号は前記パイロットＰＮシーケンスのエポックの表示を更に含む請求項２の方法。
【請求項４】
ゴレイ（Ｇｏｌａｙ）符号を使用して前記識別チャンネル信号を符号化することを更に含む請求項１の方法。
【請求項５】
ゴレイ符号を使用して前記識別チャンネル信号を符号化することを更に含む請求項３の方法。
【請求項６】
ＣＤＭＡ基地局により順方向リンクチャンネル信号を生成するためのシステムであって、
少なくとも第１のパイロットＰＮオフセット表示を含むことができる同期化チャンネルメッセージを搬送する同期化チャンネル信号を生成する同期化チャンネルメッセージ生成器と、
少なくとも第２のパイロットＰＮシーケンスオフセット表示を搬送する識別チャンネル信号を生成する識別チャンネルデータ生成器であって、識別チャンネルは、同期チャンネルが許容するよりも、受信機によってパイロットＰＮオフセットのより速い復号を許容するデータ生成器と、
前記順方向リンクチャンネル信号を送信するため、前記同期化チャンネル信号及び前記識別チャンネル信号を直交化する第１および第２のウォルシュ（ｗａｌｓｈ）カバラとを含むシステム。
【請求項７】
前記識別チャンネル信号はパイロットＰＮシーケンスの位相の表示を更に含む請求項６のシステム。
【請求項８】
前記識別チャンネル信号は前記パイロットＰＮシーケンスのエポックの表示を更に含む請求項７のシステム。
【請求項９】
ゴレイ符号を使用して前記識別チャンネル信号を符号化する識別チャンネル符号器を更に含む請求項６のシステム。
【請求項１０】
ゴレイ符号を使用して前記識別チャンネル信号を符号化する識別チャンネル符号器を更に含む請求項８のシステム。
【請求項１１】
ＣＤＭＡ基地局により順方向リンクチャンネル信号を生成する方法であって、
少なくともパイロットＰＮシーケンスオフセット表示を含む縮減同期化チャンネルメッセージを持つ縮減同期化チャンネル信号を生成し、
放送チャンネルメッセージを持つ放送チャンネル信号を生成し、
前記縮減同期化チャンネル信号及び前記放送チャンネル信号を直交化すること含む方法。
【請求項１２】
前記縮減同期化チャンネルメッセージは前記放送チャンネル信号の中の同期化チャンネルフレームの位置の表示を更に含む請求項１１の方法。
【請求項１３】
前記縮減同期化チャンネルメッセージは前記放送チャンネル信号のデータレートの表示を更に含む請求項１２の方法。
【請求項１４】
第１の拡散レートに従って動作しているときに完全な同期化チャンネルメッセージを持つ完全な同期化チャンネル信号を生成し、
第２の拡散レートに従って動作しているときに前記縮減同期化チャンネルメッセージを持つ前記縮減同期化チャンネル信号を生成することを更に含む請求項１１の方法。
【請求項１５】
ＣＤＭＡ基地局により順方向リンクチャンネル信号を生成するシステムであって、
少なくともパイロットＰＮシーケンスオフセット表示を含む縮減同期化チャンネルメッセージを持つ縮減同期化チャンネル信号を生成する縮減同期化チャンネルメッセージ生成器と、
放送チャンネルメッセージを持つ放送チャンネル信号を生成する放送チャンネルメッセージ生成器と、
前記縮減同期化チャンネル信号及び前記放送チャンネル信号を直交化する第１および第２のウォルシュカバラとを含むシステム。
【請求項１６】
前記縮減同期化チャンネルメッセージは前記放送チャンネル信号の中の同期化チャンネルフレームの位置の表示を更に含む請求項１５のシステム。
【請求項１７】
前記縮減同期化チャンネルメッセージは前記放送チャンネル信号のデータレートの表示を更に含む請求項１６のシステム。
【請求項１８】
第１の拡散レートに従って動作しているときに完全な同期化チャンネルメッセージを持つ完全な同期化チャンネル信号を生成する同期化チャンネルメッセージ生成器を更に含み、前記縮減同期化チャンネルメッセージ生成器は第２の拡散レートに従って動作しているときに前記縮減同期化チャンネル信号を生成する請求項１５のシステム。
【請求項１９】
ＣＤＭＡ基地局により順方向リンクチャンネル信号を送信するシステムであって、
少なくとも第１のパイロットＰＮオフセット表示を含むことができる同期化チャンネルメッセージを搬送する同期化チャンネル信号を生成する手段と、
少なくとも第２のパイロットＰＮシーケンスオフセット表示を搬送する識別チャンネル信号を生成する手段であって、識別チャンネルは、同期化チャンネルが許容するよりも、受信機によってパイロットＰＮオフセットのより速い復号を許容する手段と、
前記順方向リンクチャンネル信号を送信するため、前記同期化チャンネル信号及び前記識別チャンネル信号を直交化する手段とを含むシステム。
【請求項２０】
識別チャンネル信号を生成する前記手段はパイロットＰＮシーケンスの位相を表示する手段を更に含む請求項１９のシステム。
【請求項２１】
識別チャンネル信号を生成する前記手段はパイロットＰＮシーケンスのエポックを表示する手段を更に含む請求項２０のシステム。
【請求項２２】
ゴレイ符号を使用して前記識別チャンネル信号を符号化する手段を更に含む請求項１９のシステム。
【請求項２３】
ゴレイ符号を使用して前記識別チャンネル信号を符号化する手段を更に含む請求項２１のシステム。
【請求項２４】
同期ＣＤＭＡ基地局により順方向リンクチャンネル信号を生成するシステムであって、
少なくともパイロットＰＮシーケンスオフセット表示を含む縮減同期化チャンネルメッセージを持つ縮減同期化チャンネル信号を生成する手段と、
放送チャンネルメッセージを持つ放送チャンネル信号を生成する手段と、
前記縮減同期化チャンネル信号及び前記放送チャンネル信号を直交化する手段とを含むシステム。
【請求項２５】
順方向リンク信号を受信する方法であって、
同期化チャンネル信号に対応している第１の直交成分、および識別チャンネル信号に対応している第２の直交成分を含んでいる信号を受信し、
第１の直交カバーを適用することにより識別チャンネル信号をデカバーし、
第２の直交カバーを適用することにより同期化チャンネル信号をデカバーし、
第１のパイロットＰＮオフセット表示にアクセスするため識別チャンネル信号を復号し、
同期化チャンネルメッセージにアクセスするため同期化チャンネル信号を復号することを含み、同期化チャンネルメッセージは第２のパイロットＰＮオフセット表示を搬送することができ、さらに第１のパイロットＰＮオフセット表示は第２のパイロットＰＮオフセット表示よりも速く復号可能である方法。
【請求項２６】
順方向リンク信号を受信する装置であって、
同期化チャンネル信号に対応している第１の直交成分、および識別チャンネル信号に対応している第２の直交成分を含んでいる信号を受信する受信機ユニットと、
第１の直交カバーを適用することにより識別チャンネル信号をデカバーする第１のデカバラと、
第２の直交カバーを適用することにより同期化チャンネル信号をデカバーする第２のデカバラと、
第１のパイロットＰＮオフセット表示にアクセスするため識別チャンネル信号を復号する第１の復号器と、
同期化チャンネルメッセージにアクセスするため同期化チャンネル信号を復号する第２の復号器とを含み、同期化チャンネルメッセージは第２のパイロットＰＮオフセット表示を搬送することができ、さらに第１のパイロットＰＮオフセット表示は第２のパイロットＰＮオフセット表示よりも速く復号可能である装置。
【請求項２７】
順方向リンク信号を受信する方法であって、
縮減同期化チャンネル信号に対応している第１の直交成分、および放送チャンネル信号に対応している第２の直交成分を含んでいる信号を受信し、
第１の直交カバーを適用することにより縮減同期化チャンネル信号をデカバーし、
第２の直交カバーを適用することにより放送チャンネル信号をデカバーし、
第１のパイロットＰＮオフセット表示にアクセスするため減縮同期化信号を復号し、
放送チャンネルメッセージにアクセスするため放送チャンネル信号を復号することを含む方法。
【請求項２８】
順方向リンク信号を受信する装置であって、
縮減同期化チャンネル信号に対応している第１の直交成分、および放送チャンネル信号に対応している第２の直交成分を含んでいる信号を受信する受信機ユニットと、
第１の直交カバーを適用することにより縮減同期化チャンネル信号をデカバーする第１のデカバラと、
第２の直交カバーを適用することにより放送チャンネル信号をデカバーする第２のデカバラと、
第１のパイロットＰＮオフセット表示にアクセスするため減縮同期化信号を復号する第１の復号器と、
放送チャンネルメッセージにアクセスするため放送チャンネル信号を復号する第２の復号器とを含む装置。
【請求項２９】
順方向リンク信号を受信する装置であって、
同期化チャンネル信号に対応している第１の直交成分、および識別チャンネル信号に対応している第２の直交成分を含んでいる信号を受信する手段と、
第１の直交カバーを適用することにより識別チャンネル信号をデカバーする手段と、
第２の直交カバーを適用することにより同期化チャンネル信号をデカバーする手段と、
第１のパイロットＰＮオフセット表示にアクセスするため識別チャンネル信号を復号する手段と、
同期化チャンネルメッセージにアクセスするため同期化チャンネル信号を復号する手段とを含み、同期化チャンネルメッセージは第２のパイロットＰＮオフセット表示を搬送することができ、さらに第１のパイロットＰＮオフセット表示は第２のパイロットＰＮオフセット表示よりも速く復号可能である装置。
【請求項３０】
順方向リンク信号を受信する装置であって、
縮減同期化チャンネル信号に対応している第１の直交成分、および放送チャンネル信号に対応している第２の直交成分を含んでいる信号を受信する手段と、
第１の直交カバーを適用することにより縮減同期化チャンネル信号をデカバーする手段と、
第２の直交カバーを適用することにより放送チャンネル信号をデカバーする手段と、
第１のパイロットＰＮオフセット表示にアクセスするため減縮同期化信号を復号する第１の復号器と、
放送チャンネルメッセージにアクセスするため放送チャンネル信号を復号する第２の復号器とを含む装置。
【手続補正２】
【補正対象書類名】明細書
【補正対象項目名】００４１
【補正方法】変更
【補正の内容】
【００４１】
本発明の他の実施形態では、縮減同期化チャンネルメッセージは、非同期隣接者を持つこれらの基地局でのみ伝送される。本発明の他の実施形態では、縮減同期化チャンネルメッセージは、基地局が、ある拡散レートで動作しているときに伝送されるのみである。例えば、一実施形態では、基地局は、３．６８６４ｍｃｐｓの拡散レート（ｃｄｍａ２０００での直接シーケンス拡散のための拡散レート３）で動作しているときに縮減同期化チャンネルメッセージを伝送するのみで、そしてその代りとして、１．２２８８ｍｃｐｓの拡散レート（ｃｄｍａ２０００での直接シーケンス拡散のための拡散レート１）で動作しているときに従来の同期化チャンネルメッセージを伝送する。かくして、拡散レート１については、従来の同期化チャンネルメッセージは、同期化チャンネルスーパーフレームの始まりで開始し、そして３つのスーパーフレームに及ぶだろう。しかしながら、拡散レート３については、縮減同期化チャンネルメッセージは、同期化チャンネルフレームの始まりで開始し、そして２６．６６７ｍｓの単一の同期化チャンネルフレームで４回反復されるだろう。同様に、放送チャンネルは、拡散レート３で作動しているとき、同期化チャンネルからの“余分の（ｅｘｔｒａ）”フィールドのみを伝え、拡散レート１で作動しているとき、通常の放送チャンネルメッセージを伝えるだろう。